(57)【要約】【課題】隙間なく配することができ、見栄えのよい庇を提供する。【解決手段】本発明の庇１は、複数の長尺矩形状の庇パネル２を並列に配してなる構成を備え、庇パネル２は、一方の長手側面２１に係止部３と、他方の長手側面２２に係止受部４とを備えた構成としてあり、係止部３は、隣接する庇パネル２の係止受部４に係止して庇パネル間隙を閉塞可能としてあり、庇パネル２の短手側面側を建築物の外面Ａに取り付ける構成としてあることを特徴とする。【選択図】図３
2008031696.tif 000002
【特許請求の範囲】
【請求項１】
複数の長尺矩形状の庇パネルを並列に配してなる構成を備えた庇であって、庇パネルは、一方の長手側面に係止部と、他方の長手側面に係止受部とを備えた構成としてあり、係止部は、隣接する庇パネルの係止受部に係止して庇パネル間隙を閉塞可能としてあり、庇パネルの短手側面側を建築物の外面に取り付ける構成としてある庇。
【発明の詳細な説明】
【技術分野】
【０００１】
本発明は、直射日光を遮るなどのために建築物の軒先等に配される庇に関する。
【背景技術】
【０００２】
従来の庇としては、下記特許文献１に示されているような庇があり、これは、軒内側端部を躯体固着面、軒外側端部を係合受構造とした基礎パネルと、軒内側端部を係合構造、軒外側端部を係合受構造とした連結パネルと、軒内側端部を係合構造とした先端パネルからなり、係合構造と係合受構造とは係合可能な構成としてあり、基礎パネルの軒内側端部を躯体に固定し、係合部と係合受部とを係合して連結パネル及び先端パネルを基礎パネルの端部に順次連結したものである。
【０００３】
また、下記特許文献２に示されているような庇があり、これは、両側縁部に溝付枠材を設けてある庇パネルを、溝付枠材が対向するように建物の壁面に適宜間隔で配し、対向する溝付枠材に連結軸部材の端部を係合させて溝付枠材間に架け渡してあり、吊材の上端を建物壁面部に連結し、吊材の下端を連結軸部材に連結したものである。
【０００４】
【特許文献１】特開２０００−１４５０７８号公報
【特許文献２】特開２００５−３１４９２４号公報
【発明の開示】
【発明が解決しようとする課題】
【０００５】
建築物の軒先等に庇を幅広に設けたい、例えば１０ｍ〜２０ｍの幅で設けたい場合がある。この場合、上記特許文献１に記載の庇を用いて上記幅にするには、複数の庇を並べて配することになり、庇間には隙間ができてしまう。このため、隙間を埋めるために防水シートなどを用いることがあり、見栄えがよくない。また、上記特許文献２に記載の庇は、連結軸部材を移動できるようにしてあるものであり、庇パネル間には隙間があり、この庇も見栄えはよくない。
【０００６】
そこで、本発明は、建築物の軒先等に幅広に設けたとしても隙間を形成することなく配することができ、見栄えのよい庇を提供することを目的とする。
【課題を解決するための手段】
【０００７】
上記課題を解決するため、本発明の庇は、複数の矩形長尺状の庇パネルを並列に配してなる構成を備えた庇であって、庇パネルは、一方の長手側面に係止部と、他方の長手側面に係止受部とを備えた構成としてあり、係止部は、隣接する庇パネルの係止受部に係止して庇パネル間隙を閉塞可能としてあり、庇パネルの短手側面側を建築物の外面に取り付ける構成としてあることを特徴とするものである。
【０００８】
このようにすることにより、庇パネルを幅方向に適宜数並べて幅広の庇を形成することができ、係止部と係止受部とをパネル間隙を閉塞して係止するようにしたため、隙間のない幅広な庇となる。
また、係止部と係止受部とを係止すればよいので、取り付けも容易であり作業性もよい。
【発明を実施するための最良の形態】
【０００９】
以下、本発明の一実施形態を、図面を用いて説明する。
図１は本発明の一実施形態の庇を建築物の外面に取り付けた場合の上面図、図２は、図１の庇の側面図、図３は、図１の庇の一部を拡大した横断面図、図４は、図１の庇の構成部品である庇パネルの横断面図、図５は、図１の庇の建築物の外面への取付構造を示した縦断面図である。
【００１０】
本発明の一実施形態の庇１は、図１又は２に示すように、複数の長尺矩形状の庇パネル２，２・・・を並列に配し、隣接する庇パネル同士を係止してあり、庇パネル２の短手側面側を建築物の外面Ａに取り付ける構成としてある。
【００１１】
庇パネル２は、図１〜５に示すように、断面中空矩形の長尺矩形状としてあり、一方の長手側面２１には、係止部３が形成してあり、他方の長手側面２２には、係止部３と係止可能な係止受部４が形成してある。
庇パネル２の内部には、上面２３と下面２４間に架け渡した２つの仕切り面部２５が形成してあり、仕切り面部２５は、長手側面２１（２２）と並行に形成してある。
また、庇パネル２の適宜枚数（例えば３枚に１枚の割合）に対して、上面２３の後端側には、後述する固定ブラケット６を固定するための孔２６が形成してある。
【００１２】
係止部３は、上側係止部３１とその下方に形成した下側係止部３２とからなり、上側係止部３１は、長手側面２１の上端縁部を側方に適宜幅で突出させ、パネル２の長手方向の全長に渡り形成してあり、下側係止部３２は、長手側面２１から側方に突出するようにパネル２の長手方向の全長に渡り形成してある。上側係止部３１及び下側係止部３２は、略同一の幅としてある。
【００１３】
上側係止部３１の下面３１ａには、下方に突出し、先端を外方に向け折曲した係合部３３が長手方向に沿い形成してある。
下側係止部３２の下面３２ａには、長手方向に沿い凹設した係合溝３４が形成してあり、上面３２ｂには、上方に開口したリップ溝形の嵌合溝３５が長手方向に沿い形成してある。また、溝３５内には、長手方向に適宜間隔で上下方向に貫通した孔（図示せず）が形成してあり、この孔の位置に合わせて溝３５にナットが嵌め合わせてある。
【００１４】
係止受部４は、上側係止受部４１とその下方に形成した下側係止受部３２とからなり、上側係止受部４１及び下側係止部４２は、長手側面２２から側方に突出するようにパネル２の長手方向の全長に渡り形成してあり、これらは略同一の幅としてある。
【００１５】
上側係止受部４１の上面４１ａには、長手方向に沿い凹設した係合受部４３が形成してあり、前記係合部３３に係止できるようにしてある。
下側係止受部４２の上面４２ａには、長手方向に沿い突設した係合突条４２ｂが形成してあり、前記係合溝３４に係止できるようにしてある。また、下側係止受部４２には、長手方向に適宜間隔で上下方向に貫通した孔（図示せず）が形成してある。
下側係止部３２の嵌合溝３５内に形成した孔及び下側係止部４２に形成した孔は、下側係止部３２と下側係止部４２とを係止した状態で重なり合い、ボルトなどの締結部材を挿通し、前記嵌合溝３５に嵌め合わせたナットに締結して隣接する庇パネル２同士を締結固定できるようにしてある。
【００１６】
庇１は、図１又は５に示すように、パネル２の上面２３の後端側に庇１の幅方向に適宜間隔で固定した固定ブラケット６を、建築物の外面Ａに固定した固定具５に係止して外面Ａに取り付けできるようにしてある。
【００１７】
固定具５は、図５に示すように、断面略コの字状の長尺材であり、外面Ａに接する固定面５１には、適宜間隔で孔５２が形成してあり、外面Ａに形成してあるアンカーボルト７０に挿通し、ナット７１などで締結固定できるようにしてある。
固定具５の下面５３には、長手方向に沿い下方に凹設した排水溝５４が形成してあり、庇パネル２内に浸入した雨水などを流すことができ、また、下面５３の先端は、庇パネル２の下面２４を載せることができるようにしてある。上面５５には、長手方向に沿い上方に突出し、先端を外面Ａ側に向け折曲したブラケット係止受部５６が形成してある。また、上面５５の先端は、庇パネルの上面２３の後端部が当接するようにしてある。
【００１８】
固定ブラケット６は、平面視略矩形状のピース材であり、庇パネル２の上面２４に載せる固定面６１には、ボルト７２など締結部材を挿通できる孔６２が形成してある。
固定面６１の後端側には、上方に突出し、先端を外面Ａに向け斜め上方に延設した係止面部６３が形成してある。この先端は上下二股に分かれており、この下部は、下方に湾曲させて折曲し、さらに、先端をブラケット内側に向け折曲したブラケット係止部６４としてあり、前記ブラケット係止受部５６と係止できるようにしてある。また、この上部は、湾曲しつつ上方に延ばした後端水きり係止部６５としてある。
固定面６１の先端側には、上方に突出し、先端をブラケット外側に向け斜め下方に延設した前端水切り係止部６６が形成してあり、この係止部６６と前記後端水切り係止部６５とにより水きり部材８を係止できるようにしてある。
【００１９】
水切り部材８は、図１又は５に示すように、傾斜面８１の後端側を、上方に折曲した長尺材であり、固定ブラケット６に係止して水の浸入を防ぐものである。
【００２０】
以下、本実施形態の庇１の組立方法を説明する。
建築物の外面Ａに、水平方向に適宜間隔でアンカーボルト７０を設ける。アンカーボルト７０に固定具５の孔５２を挿通し、ナット７１を締結して固定具５を外面Ａに固定する。
次に、孔２６を形成してある庇パネル２に固定ブラケット６を固定する。この際、固定ブラケット６は、後端側が若干外方に突出するように上面２４に配する。
【００２１】
固定ブラケット６を固定した庇パネル２の短手側面側を固定具５に向け、庇パネル２の下面２４を固定具５の下面５３の先端に載せつつ、固定ブラケット６のブラケット係止部６４と固定具５のブラケット係止受部５４とを係止させて取り付ける。
取り付けた庇パネル２の隣に、他の庇パネル２を係止部３と係止受部４とが向き合うように並べ、庇パネル２の係止部３に対して隣接する庇パネル２の係止受部４を斜め方向から挿入し、庇パネル２同士が同一平面になるようにして係止部３と係止受部４とを係止する。この際、上側係止部３１の係合部３３と上側係止受部４１の係合受部４３とが係止し、下側係止部３２の係合溝３４と下側係止受部４２の係合突条４２ｂとが係止するので、パネル２同士が外れることがない。また、係止部３と係止受部４とは、パネル２の長手方向の全長に渡り適宜幅で突出させてあるので、隣接するパネル２間に隙間ができず閉塞でき、見栄えがよくなり、また、雨水等も浸入することがない。
そして、下側係止受部４２に形成してある孔に、下方からボルトなどの締結部材を挿通し、締結することにより、隣接する庇パネル２同士が固定できる。
このように複数の庇パネル２を並べ、係止部３と係止受部４とを順次係止していき、幅広の庇１を形成することができる。
適宜幅の庇１を形成した後、水切り部材８を固定ブラケット６に係止する。
【００２２】
また、本実施形態では、庇１の先端部には、図１又は２に示すようなキャップ９０をしてある。庇１の側縁部には、図６に示すような端部パネル２６を係止してあり、これは、一方の長手側面に係止部３又は係止受部４を形成し、他方の長手側面を円弧状乃至湾曲上に閉じた形状としてある。庇１の上側には、図１又は２に示すように、支持アーム９１が適宜間隔で配してあり、庇パネル２の上面２３と建築物の外面Ａとを連結し、庇１を支持している。また、図５に示すように、水切り部材８の先端側と後端側には、防水シール８２がしてあり、雨水等の浸入を防いでいる。
【００２３】
本発明の庇は、上述したように、複数の庇パネルを並列に係止することにより、幅広な庇とすることができ、また、庇パネル間を隙間なく閉塞でき見栄えのよいものとすることができる。
【００２４】
上記実施形態の構成態様は、本発明を限定するものとして挙げたものではなく、技術目的を共通にするかぎり変更は可能であり、本発明はそのような変更を含むものである。
【図面の簡単な説明】
【００２５】
【図１】本発明の一実施形態の庇を建築物の外面に取り付けた場合の上面図である。
【図２】図１の庇の側面図である。
【図３】図１の庇の一部を拡大した横断面図である。
【図４】図１の庇の構成部品である庇パネルの横断面図である。
【図５】図１の庇の建築物の外面への取付構造を示した縦断面図である。
【図６】図１の庇の構成部品である端部パネルを示した横断面図である。
【符号の説明】
【００２６】
１庇
２庇パネル
２１長手側面
２２長手側面
３係止部
３１上側係止部
３２下側係止部
４係止受部
４１上側係止受部
４２下側係止受部
５固定具
６固定ブラケット
８水切り部材
【図１】
2008031696.tif 000003
【図２】
2008031696.tif 000004
【図３】
2008031696.tif 000005
【図４】
2008031696.tif 000006
【図５】
2008031696.tif 000007
【図６】
2008031696.tif 000008